(57)【要約】【課題】  従来の蛍光灯器具について、ＬＥＤ電球を使用可能とすることにより、高価な蛍光灯型ＬＥＤ照明装置よりも安価に代替可能となるＬＥＤ電球アダプタを提供すること。【解決手段】  蛍光灯器具１０について蛍光ランプを装着可能な蛍光ランプ装着部１１に装着されるアダプタ本体３と、蛍光灯器具１０において蛍光ランプへの電源供給用の金具を設けた取付部１２に接続可能かつ金属製の端子部４を備えた組付部５と、端子部４に電気的に接続されると共にＬＥＤ電球２を装着可能なソケット部６とを設けたことを特徴とするＬＥＤ電球アダプタ１によって達成される。【選択図】          図１
2013101850.tif 000002
【特許請求の範囲】
【請求項１】
蛍光灯器具について蛍光ランプを装着可能な蛍光ランプ装着部に装着されるアダプタ本体と、前記蛍光灯器具において蛍光ランプへの電源供給用の金具を設けた取付部に接続可能かつ金属製の端子部を備えた組付部と、前記端子部に電気的に接続されると共にＬＥＤ電球を装着可能なソケット部とを設けたことを特徴とするＬＥＤ電球アダプタ。
【請求項２】
前記アダプタ本体には、２個以上のソケット部装着孔が設けられており、前記ソケット部を備え前記ソケット部装着孔に着脱可能に組み付けられるソケット部材が設けられており、このソケット部材には、前記アダプタ本体の端子部から供給される電源に電気的に接続可能な端子金具部が設けられていることを特徴とする請求項１に記載のＬＥＤ電球アダプタ。
【請求項３】
前記蛍光灯器具は、直管型蛍光ランプ、環形蛍光ランプ、またはコンパクト形蛍光ランプのいずれかを装着するものであることを特徴とする請求項１または２に記載のＬＥＤ電球アダプタ。
【請求項４】
前記ソケット部は２個以上が設けられており、前記組付部からは各ソケット部に対して、並列に電源が供給されるように構成されていることを特徴とする請求項１〜３のいずれか一つに記載のＬＥＤ電球アダプタ。
【請求項５】
前記蛍光灯器具が、直管型蛍光ランプを装着するものであり、前記アダプタ本体には、長手方向にスライド支持部が設けられており、このスライド支持部には、前記ソケット部を備えると共に前記スライド支持部に対してスライド移動可能な可動式ソケット部材が設けられていることを特徴とする請求項１、３、４のいずれか一つに記載のＬＥＤ電球アダプタ。
【請求項６】
前記可動式ソケット部材は、前記スライド支持部に対して着脱可能に組み付けられることを特徴とする請求項５に記載のＬＥＤ電球アダプタ。
【請求項７】
前記スライド支持部の少なくとも一方側が前記取付部まで延設されていると共に、前記取付部を前記アダプタ本体に対して、前記可動式ソケット部材の着脱を規制する組付位置と、前記可動式ソケット部材の着脱を許容する着脱位置とできるようにしたことを特徴とする請求項６に記載のＬＥＤ電球アダプタ。
【発明の詳細な説明】
【技術分野】
【０００１】
本発明は、一般的な蛍光灯器具に蛍光ランプの代わりに装着して使用するＬＥＤ電球アダプタに関する。
【背景技術】
【０００２】
近年、消費電力が少なく、耐久性に優れることから、多くの分野でＬＥＤ（発光ダイオード）の使用が進んでいる。このようなＬＥＤ照明として、ＬＥＤ電球や、多数のＬＥＤを配置した蛍光灯型の照明装置が開発されている（特許文献１）。特許文献１に開示されている蛍光灯型のＬＥＤ照明装置は、従来の直管型蛍光ランプの外形を備えた円筒状の本体の内部に、多数のＬＥＤ素子の付いたプリント基板を直接組み込んだものである。見た目もすっきりしており、スマートであるものの、電気的故障が発生した場合には、プリント基板全体を交換する必要がある。このため、ＬＥＤ素子が長寿命であるものの、全体のコストが上昇する可能性が高い。
このように、蛍光灯型ＬＥＤ照明装置については、安易に従来の蛍光灯器具と交換することができない状況であった。
【先行技術文献】
【特許文献】
【０００３】
【特許文献１】特開２０１０−１５３３８４号公報
【発明の概要】
【発明が解決しようとする課題】
【０００４】
本発明は、上記した事情に鑑みてなされたものであり、その目的は、従来の蛍光灯器具について、比較的安価なＬＥＤ電球を使用可能とすることにより、高価な蛍光灯型ＬＥＤ照明装置よりも安価に代替可能となるＬＥＤ電球アダプタを提供することである。
【課題を解決するための手段】
【０００５】
上記目的を達成するための発明に係るＬＥＤ電球アダプタは、蛍光灯器具について蛍光ランプを装着可能な蛍光ランプ装着部に装着されるアダプタ本体と、前記蛍光灯器具において蛍光ランプへの電源供給用の金具を設けた取付部に接続可能かつ金属製の端子部を備えた組付部と、前記端子部に電気的に接続されると共にＬＥＤ電球を装着可能なソケット部とを設けたことを特徴とする。このようにすれば、従来構造の蛍光灯器具について、蛍光ランプに代えてＬＥＤ電球アダプタを装着し、ＬＥＤ電球を用いることができる。また、本発明に係るＬＥＤ電球アダプタには、回路基板が存在しないので、ＬＥＤ電球が故障した場合には、そのＬＥＤ電球を個々に交換すれば済むので、簡易に対応できる。更に、使用場所に応じて、必要な個数または光量のＬＥＤ電球を付ければ良いので、フレキシブルな対応が可能となる。
【０００６】
なお、蛍光灯器具にグロー球、インバーター回路などのようにＬＥＤ電球への電源供給が上手く行かない余分なものが設けられている場合には、予めその余分なものへの電源供給を迂回する（例えば、グロー球を取り外す、インバーター回路を回避してショートさせるなど）ように構造を変更すれば良い。
また、前記蛍光灯器具は、直管型蛍光ランプ、環形蛍光ランプ、またはコンパクト形蛍光ランプのいずれかを装着するものであることが好ましい。
また、前記ソケット部は、前記ＬＥＤ電球の方向を変化させられる方向可変機構が設けられていることが好ましい。ＬＥＤ電球は、光の直進性が高いので拡散させ難い。このため、必要な方向に対して、重点的に光を向けられる方向可変機構が設けられているので、更に使い出の良いものとなる。
また、前記ソケット部は２個以上が設けられており、前記組付部からは各ソケット部に対して、並列に電源が供給されるように構成されていることが好ましい。このようにすれば、直列に電源を供給する場合に比べると、ＬＥＤ電球に供給される電源が安定する。
また、前記アダプタ本体には、２個以上のソケット部装着孔が設けられていると共に、前記ソケット部を備え前記ソケット部装着孔に着脱可能に組み付けられるソケット部材が設けられており、このソケット部材には、前記アダプタ本体の端子部から供給される電源に電気的に接続可能な端子金具部が設けられていることが好ましい。このようにすれば、予めアダプタ本体に組み付けられるソケット部材の最大個数を制限できる。また、必要な明るさに応じて、適当な個数のソケット部材を組み付ければ良いので、経済的に使用できる。また、上記発明においては、前記ソケット部装着孔のうち、前記ソケット部材が組み付けられないところに組み付け可能な栓部材を設けることが好ましい。このようにすれば、使用されないソケット部装着孔を閉止できる。
【０００７】
また、前記蛍光灯器具が、直管型蛍光ランプを装着するものである場合に、前記アダプタ本体には、長手方向にスライド支持部が設けられており、このスライド支持部には、前記ソケット部を備えると共に前記スライド支持部に対してスライド移動可能な可動式ソケット部材が設けられていることが好ましい。このようにすれば、ＬＥＤ電球を取り付ける位置を適当に変更できるので、より使い出の良いものとできる。スライド支持部の構造としては、アダプタ本体の内部を長手方向に貫通させた空洞形式のもの、アダプタ本体の外方に突設または凹設しつつ長手方向に連続させたレール形式のものが例示される。なお、ソケット部に対して電源を供給するための電線部をスライド支持部に設ける場合には、より安全性の高い空洞形式のものが好ましい。
このとき、前記可動式ソケット部材は、前記スライド支持部に対して着脱可能に組み付けられることが好ましい。このようにすれば、任意の個数の可動式ソケット部材をスライド支持部に対して組み付け、または抜き出せるので、より使い出の良いＬＥＤ電球アダプタとなる。なお、可動式ソケット部材をスライド支持部に対して着脱可能に組み付ける構成としては、例えばスライド支持部の一部に対して、前記可動式ソケット部材の着脱を規制する組付位置と、前記可動式ソケット部材の着脱を許容する着脱位置との二位置とできる脱離防止部を設けることができる。更に具体的には、前記スライド支持部の少なくとも一方側が前記取付部まで延設されていると共に、前記取付部を前記アダプタ本体に対して、前記可動式ソケット部材の着脱を規制する組付位置と、前記可動式ソケット部材の着脱を許容する着脱位置とできるようにすることが好ましい。この場合には、取付部が脱離防止部を兼ねる構成となる。
【０００８】
本発明において、ソケット部は、少なくとも一つ設けられていれば良いが、ＬＥＤ電球から発せられる光の直進性が高いことに鑑みると複数個（例えば、２個〜４個）のソケット部を設けることが好ましい。但し、余りに多くのソケット部を設けると、ＬＥＤ電球アダプタにＬＥＤ電球を装着したときの重量が大きくなりすぎること、及び各ＬＥＤ電球への電源供給が安定しないので好ましくない。このため、最大でも８個程度までのソケット部を設けることが好ましい。
本発明において使用されるＬＥＤ電球の形式は、Ｅ１７口金またはＥ２６口金のいずれを用いることもできる。ソケット部には、使用される口金の口径に合わせて、従来周知のレセプタクルを設ければよい。
【発明の効果】
【０００９】
本発明によれば、従来の蛍光灯器具について、ＬＥＤ電球を使用可能とすることにより、高価な蛍光灯型ＬＥＤ照明装置よりも安価に代替可能となるＬＥＤ電球アダプタを提供できる。
また、今後主流となる可能性が高いＬＥＤ照明を、より安価に提供できるので、手軽に導入することが可能となり、電気料の削減及び電気代の節約にも繋がる。多くのＬＥＤ照明を普及させることにより、電力需要の負担を減少させ、二酸化炭素の排出量の削減も可能となり、地球環境の悪化を回避できる。
【図面の簡単な説明】
【００１０】
【図１】第１実施形態におけるＬＥＤ電球アダプタの分解斜視図である。
【図２】ＬＥＤ電球アダプタの平面図である。
【図３】ＬＥＤ電球アダプタにおける電源供給用の回路図である。
【図４】ＬＥＤ電球アダプタにＬＥＤ電球を装着し、２個の蛍光ランプ装着部を備えた蛍光灯器具の一方に組み付けたときの様子を示す斜視図である。
【図５】第２実施形態におけるＬＥＤ電球アダプタの斜視図である。
【図６】ＬＥＤ電球アダプタの側面図である。
【図７】ＬＥＤ電球アダプタにＬＥＤ電球を装着し、蛍光灯器具に組み付けたときの様子を示す側面図である。
【図８】第３実施形態におけるＬＥＤ電球アダプタの分解斜視図である。
【図９】アダプタ本体の側面図である。
【図１０】アダプタ本体の正面図である。
【図１１】アダプタ本体の底面図である。
【図１２】取付部の正面図である。
【図１３】取付部の側面図である。
【図１４】取付部の背面図である。
【図１５】取付部の平面図である。
【図１６】可動式ソケット部材の平面図である。
【図１７】可動式ソケット部材の正面図である。
【図１８】ＬＥＤ電球アダプタにＬＥＤ電球を組み付けたときの斜視図である。
【図１９】第４実施形態におけるＬＥＤ電球アダプタの分解斜視図である。
【図２０】アダプタ本体にソケット部材と栓部材を組み付けたときの斜視図である。
【発明を実施するための形態】
【００１１】
次に、本発明の実施形態について、図表を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶ。
＜第１実施形態＞
まず、図１〜図４を参照しつつ、本発明の第１実施形態について説明する。図１には、第１実施形態におけるＬＥＤ電球アダプタ１の分解斜視図を示した。このＬＥＤ電球アダプタ１は、略円筒状をなしており、ＬＥＤ電球２が組み付けられると共に、直管型蛍光ランプを装着する蛍光灯器具１０の蛍光ランプ装着部１１に取り付けられる。
ＬＥＤ電球アダプタ１には、アダプタ本体３と、このアダプタ本体３の両端部分に一対に設けられる組付部５と、ＬＥＤ電球２を装着可能なソケット部６が設けられている。
アダプタ本体３は、所定の強度を備えた部材（例えば、プラスチック（塩化ビニル、ポリプロピレン、ポリスチレンなど）、金属（アルミニウム、鉄、ステンレスなど）などを用いて形成できる）によって、略円筒状に形成されている。
【００１２】
組付部５は、図２に示すように、アダプタ本体３の両端部に覆い付くようにして組み付けられる。アダプタ本体３に両組付部５を組み付けたときの長さは、蛍光灯器具１０に装着されるべき直管型蛍光ランプの長さとほぼ等しくなるように設定されている。組付部５には、金属製の一対の端子部４が突設されており、ここが蛍光灯器具１０の電源供給用の金具を設けた取付部１２に嵌め込まれることで、ＬＥＤ電球アダプタ１が組み付け固定されると共に、ＬＥＤ電球２への電源が供給される。左右一対の端子部４，４間には、ＬＥＤ電球２を組み付けるソケット部６に電源を供給するための電線７が接続されている。ここで電線７は、図３に示すように、左右一対の端子部４，４について、ＬＥＤ電球２に対して、並列に電源が供給されるように接続されている。
ソケット部６は、アダプタ本体３の左右両端部付近にそれぞれ一つずつ設けられている。両ソケット部６は、アダプタ本体３の径方向外側に向かって、同一の方向に突設されている。
【００１３】
次に、上記のように構成された本実施形態の組み付け方法について例示する。
まず、各ソケット部６のそれぞれにＬＥＤ電球２を回し付ける。次いで、ＬＥＤ電球アダプタ１を持ち上げ、蛍光灯器具１０の蛍光ランプ装着部１１に設けられた取付部１２のそれぞれに、左右一対の組付部５から突設された端子部４を嵌め込んだ後、ＬＥＤ電球２が下方を向くようにして回し付ける。こうして、図４に示すように、蛍光灯器具１０にＬＥＤ電球２を装着したＬＥＤ電球アダプタ１が取り付けられる。
なお、上記では、予めＬＥＤ電球２をソケット部６に取り付けた後に、ＬＥＤ電球アダプタ１を蛍光灯器具１０に装着する手順を説明したが、ＬＥＤ電球アダプタ１を蛍光灯器具１０に装着した後に、ＬＥＤ電球２をソケット部６に取り付けても良い。
【００１４】
なお、蛍光灯器具１０にグロー球、インバーター回路などのようにＬＥＤ電球２への電源供給が上手く行かない余分なものが設けられている場合には、予め蛍光灯器具１０に設けられた余分なものへの電源供給を迂回するように構造を変更すれば良い。
このように本実施形態によれば、従来構造の蛍光灯器具１０について、蛍光ランプに代えてＬＥＤ電球アダプタ１を装着し、ＬＥＤ電球２を用いることができる。
また、本実施形態では、複数のＬＥＤ電球２に対して、並列に電源が供給されるようになっているので、直列に電源を供給する場合に比べると、ＬＥＤ電球２に供給される電源が安定する。
【００１５】
＜第２実施形態＞
次に、図５〜図７を参照しつつ、本発明の第２実施形態について説明する。なお、本実施形態と第１実施形態とにおいて、同一の構成については、同一の符号を付して説明を省略する。
本実施形態のＬＥＤ電球アダプタ２０は、略円環状をなしており、ＬＥＤ電球２が組み付けられると共に、環形蛍光ランプを装着する蛍光灯器具２１に取り付けられる。
ＬＥＤ電球アダプタ２０には、略円環状のアダプタ本体２１と、このアダプタ本体２１から斜め上方に突設される組付部２２と、ＬＥＤ電球２を装着可能なソケット部６が下方に向かって突設されている。ソケット部６は、３個のものがアダプタ本体２１に沿ってほぼ均等な間隔で配置されている。アダプタ本体２１は、第１実施形態のアダプタ本体３と同様に、所定の強度を備えた部材によって、中空状に形成されている。
【００１６】
組付部２２には、金属製の端子部２３が設けられており、ここが蛍光灯器具３０の電源供給用の金具を設けた取付部３２に嵌め込まれることで、ＬＥＤ電球２への電源が供給される。なお、図示はしないが、３個のソケット部６に対しては、並列に電源が供給されるようになっている。
次に、上記のように構成された本実施形態の作用及び効果について説明する。
まず、ＬＥＤ電球アダプタ２０を蛍光灯器具３０の蛍光ランプ装着部３１に装着しつつ、弾性を備えた脱落防止部３３によって、アダプタ本体２１を所定の位置に固定する。次に、取付部３２と組付部２２を連結することによって、ＬＥＤ電球２への電源を確保する。
最後に、各ソケット部６にＬＥＤ電球２を回し付けることによって、組付けを完了する。
このように、本実施形態によっても第１実施形態と同様の作用及び効果を奏することができる。
【００１７】
＜第３実施形態＞
次に、図８〜図１８を参照しつつ、本発明の第３実施形態について説明する。なお、本実施形態と第１実施形態及び第２実施形態とにおいて、同一の構成については、同一の符号を付して説明を省略する。
本実施形態のＬＥＤ電球アダプタ４０は、略角筒状をなしており、直管型蛍光ランプを装着する蛍光灯器具１０の蛍光ランプ装着部１１に取り付けられると共に、可動式ソケット部材４１の個数に合わせてＬＥＤ電球２が組み付け可能とされている。
ＬＥＤ電球アダプタ４０のアダプタ本体４２は、図９〜図１１に示すように、断面が略正方形状とされており、その内部には、長手方向に沿ってスライド支持部４３が設けられている。スライド支持部４３は、アダプタ本体４２の下面側に開放する溝状に形成されており、その断面は略Ｃ字状とされ、中央部分には径方向外側に突出する引っ掛け縁部４４が凹設されている。引っ掛け縁部４４の内面側には、アダプタ本体４２の長手方向に沿って、電気的に接続する導電部材４４Ａが設けられており、端子部４５からの電源を可動式ソケット部材４１に供給可能とされている。
【００１８】
スライド支持部４３には、後述の可動式ソケット部材４１がアダプタ本体４２の長手方向にスライド移動可能に組み付けられる。また、アダプタ本体４２の両端部には、一対の組付部４６が設けられている。
組付部４６は、図１２〜図１５に示すように、アダプタ本体４２の左右両端部に開放するスライド支持部４３に合わせた形状とされている。アダプタ本体４２に両組付部４６を組み付けたときの長さは、蛍光灯器具１０に装着されるべき直管型蛍光ランプの長さとほぼ等しくなるように設定されている。組付部４６には、金属製の一つの端子部４５が突設されており、蛍光灯器具１０の取付部１２からの電源と接続可能とされている。また、組付部４６において、アダプタ本体４２に組み付けられる後面側には、スライド支持部４３の断面形状とほぼ同等の形状を備えた組付突部４７が突設されている。この組付突部４７の左右からは、引っ掛け縁部４４に嵌り込む突状縁４８が張り出されている。突状縁４８のうちの一方側は、端子部４５と電気的に接続する電気供給部４８Ａとされている。一対の組付部４６において、電気供給部４８Ａは、互いに相異なる側の引っ掛け縁部４４の下壁面及び奥側壁面に設けられた導電部材４４Ａに接触するようになっている。こうして、アダプタ本体４２の左右一対に組み付けられる組付部４６の各々は、一対の引っ掛け縁部４４のうちのいずれか一方側に電気的に接続されているので、両引っ掛け縁部４４のそれぞれは、一対の組付部４６のいずれか一方から電源を供給されることになる。なお、導電部材４４Ａは、上壁面よりも下壁面に設けることにより、可動式ソケット部材４１との導通が良好に図られる。
【００１９】
可動式ソケット部材４１は、図１６及び図１７に示すように、アダプタ本体４２のスライド支持部４３にスライド可能に組み付けられると共に、ＬＥＤ電球２が取付可能とされている。すなわち、可動式ソケット部材４１の上部には、スライド支持部４３の引っ掛け縁部４４に嵌め込まれる上面突部５０と、スライド支持部４３の下部から溝部に嵌め込まれる中央組付部５１とが設けられている。上面突部５０には、引っ掛け縁部４４から供給される電源をソケット部４９に供給する電線部５２が設けられている。また、可動式ソケット部材４１の下方には、ＬＥＤ電球２を組付可能なソケット部４９が設けられている。
【００２０】
次に、上記のように構成された本実施形態の作用及び効果について説明する。
まず、少なくとも一方側の組付部４６をアダプタ本体４２から取り外しておく。この着脱位置では、スライド支持部４３の側縁が開放されているので、アダプタ本体４２に対して可動式ソケット部材４１の着脱が許容された状態となっている。そこで、任意個数の可動式ソケット部材４１の上面突部５０及び中央組付部５１をスライド支持部４３の側縁部分から挿入し、スライド支持部４３の方向に沿って所定の位置までスライド移動させる。全ての可動式ソケット部材４１の組付を完了したら、図１８に示すように、組付部４６をアダプタ本体４２に嵌め付ける。この組付位置では、可動式ソケット部材４１のアダプタ本体４２に対する着脱が規制される。こうして、組付部４６は、本発明における脱離防止部を兼ねる構成となっている。
なお、可動式ソケット部材４１がスライド支持部４３に装着された状態では、ソケット部４３には、電源供給部４８Ａと電線部５２を通じて、電源が供給可能とされる。
【００２１】
上記のように、ＬＥＤ電球アダプタ４０の組み付けが完了したら、端子部４５を蛍光灯器具１０の蛍光ランプ装着部１１にある取付部１２に組み付け、ＬＥＤ電球２をソケット部４９に回し付ける。なお、ＬＥＤ電球２のソケット部４９への回し付け操作は、ＬＥＤ電球アダプタ４０の蛍光灯器具１０への組み付け操作の前に行うこともできる。
このように本実施形態によれば、第１実施形態及び第２実施形態と同様の効果に加えて、ＬＥＤ電球２の取り付け位置を適当に変更できるので、より使い出の良いものとなる。
また、可動式ソケット部材４１は、スライド支持部４３に対して着脱可能に組み付けられているので、任意の個数の可動式ソケット部材４１をスライド支持部４３に対して組み付け、または抜き出せるので、より使い出の良いＬＥＤ電球アダプタ４０となる。
【００２２】
＜第４実施形態＞
次に、図１９及び図２０を参照しつつ、本発明の第４実施形態について説明する。なお、本実施形態と第１実施形態〜第３実施形態とにおいて、同一の構成については、同一の符号を付して説明を省略する。
本実施形態のＬＥＤ電球アダプタ６０は、略角筒状をなすアダプタ本体６１と、このアダプタ本体６１に対して着脱可能に組み付けられるソケット部材６２とが設けられている。アダプタ本体６１には、２個以上の（図示６個）ソケット部装着孔６３が設けられている。ソケット部装着孔６３は、アダプタ本体６１の長さ方向に長辺を備えた長方形状とされており、その左右両側には、一対の電源供給部４８Ａが設けられている（図示せず）。
【００２３】
ソケット部材６２の上端部には、アダプタ本体６１の端子部４から供給される電源に接続する電源供給部４８Ａに接続可能な端子金具部６４が左右一つに設けられている。この端子金具部６４は、ソケット部装着孔６３の対角線の長さよりも長い直径を備えた円形状の支持片部６５から垂直に立ち上げられた後、その先端部分が互いに径方向外側に向かって突設されている。両端子金具部６４の基端部分の離間幅はソケット部装着孔６３の短辺の幅と同等とされている。一方、両端子金具部６４Ａの先端部分の離間長は、ソケット部装着孔６３の長辺よりも僅かに短くされている。
ソケット部材６２の下端部分には、ソケット部６７が設けられており、ソケット部６７と支持片部６５との間には、ＬＥＤ電球２の方向を変化させられる方向可変機構６６が設けられている。方向可変機構６６は、ソケット部６７にＬＥＤ電球２を取り付けた状態で所定の範囲内でＬＥＤ電球２の方向を変化させ、その状態を固定できる程度の強度を備えている。方向可変機構６６としては、蛇腹状のもの、適当な位置に一つまたは二つ以上の関節機構を設けたものとすることもできる。
【００２４】
また、使用されないソケット部装着孔６３には、栓部材６８が組み付けられる。栓部材６８には、ソケット部装着孔６３よりも一回り大きな長方形の底辺部６９と、この底辺部６９から立ち上げられた一対の弾性係合片７０とが設けられている。両弾性係合片７０の離間幅は、ソケット部装着孔６３の長辺の長さと同等とされており、その先端には、外方に向かって係合爪７１が設けられている。
次に、上記のように構成された本実施形態の作用及び効果について、図２０を参照しつつ説明する。
図２０では、６個のソケット部装着孔６３のうち、一つおきに３個のソケット部材６２が組み付けられ、残りのソケット部装着孔６３には栓部材６８が組み付けられている。
栓部材６８は、両係合爪７１をソケット部装着孔６３に嵌め込み、両弾性係合片７０を僅かに弾性変形させながら底辺部６９を押し込む。底辺部６９が所定の位置まで押し込まれると、両弾性係合片７０が復帰変形すると共に、係合爪７１がソケット部装着孔６３の孔縁に係合することで、栓部材６８の組付が完了する。
【００２５】
ソケット部材６２は、両端子金具部６４をソケット部装着孔６３の長辺方向に合わせて挿入した後、支持片部６５を略９０度回転させる。こうして、両端子金具部６４をソケット部装着孔６３の短辺の孔縁に係合させて抜け止めすると共に、両端子金具部６４と電源供給部４８Ａとの接続を図る。次いで、ソケット部６７にＬＥＤ電球２を回し付ける。なお、方向可変機構６６によって、ＬＥＤ電球２は、所定の範囲内で適当な方向に向けることができる。
このように、本実施形態によれば、第１実施形態〜第３実施形態と同様の効果に加えて、予めアダプタ本体６１に組み付けられるソケット部材６２の最大個数を制限できる。また、必要な明るさに応じて、適当な個数のソケット部材６２を組み付ければ良いので、状況に応じて経済的に使用できる。
また、ソケット部装着孔６３のうち、ソケット部材６２が組み付けられないところに栓部材６８を組み付けるので、使用されないソケット部装着孔６３を閉止できる。
また、ＬＥＤ電球２の方向を変化させられる方向可変機構６６が設けられているので、光の直進性の高いＬＥＤ電球を必要な方向に対して、重点的に光を向けられており、更に使い出の良いものとなる。
【符号の説明】
【００２６】
１，２０，４０，６０…ＬＥＤ電球アダプタ
２…ＬＥＤ電球
３，２１，４２，６１…アダプタ本体
４…端子部
５，２２，４６…組付部
６，４９，６７…ソケット部
１０，３０…蛍光灯器具
１１，３１…蛍光ランプ装着部
１２，３２…取付部
４１…可動式ソケット部材
４３…スライド支持部
４６…組付部（脱離防止部）
６２…ソケット部材
６３…ソケット部装着孔
６４…端子金具部
６６…方向可変機構
６８…栓部材
【図１】
2013101850.tif 000003
【図２】
2013101850.tif 000004
【図３】
2013101850.tif 000005
【図４】
2013101850.tif 000006
【図５】
2013101850.tif 000007
【図６】
2013101850.tif 000008
【図７】
2013101850.tif 000009
【図８】
2013101850.tif 000010
【図９】
2013101850.tif 000011
【図１０】
2013101850.tif 000012
【図１１】
2013101850.tif 000013
【図１２】
2013101850.tif 000014
【図１３】
2013101850.tif 000015
【図１４】
2013101850.tif 000016
【図１５】
2013101850.tif 000017
【図１６】
2013101850.tif 000018
【図１７】
2013101850.tif 000019
【図１８】
2013101850.tif 000020
【図１９】
2013101850.tif 000021
【図２０】
2013101850.tif 000022